(57)【要約】 【課題】従来と同じ大きさ及び数の建物ユニットでより広い居室空間を形成できるユニット式建物を提供すること。【解決手段】それぞれ柱及び梁を含み形成される略直方体状の骨組みを有するとともに１本の柱が省略された柱省略コーナ部Ａを有する４個の建物ユニット３を、それぞれの柱省略コーナ部Ａを突き合わせて配置してユニット式建物１を構成する。この際、一方向に隣合う建物ユニット３間に補強梁２０を架け渡し、この補強梁２０が架け渡された方向に沿って一方向と交差する方向に２個の建物ユニット３，３同士を所定間隔Ｌ離して配置し、これらの所定間隔Ｌ離れた建物ユニット３，３間の隙間を、閉塞用パネル３２で塞ぐ。【選択図】 図５
2005240358.tif 000002
【特許請求の範囲】
【請求項１】
それぞれ柱及び梁を含み形成される略直方体状の骨組みを有するとともに１本の柱が省略された柱省略コーナ部を有する少なくとも４個の建物ユニットが、前記それぞれの柱省略コーナ部を突き合わせて配置されるユニット式建物であって、
一方向に隣合う前記建物ユニット間に補強梁が架け渡され、この補強梁が架け渡された方向に沿って前記一方向と交差して配置される２個の前記建物ユニット同士が所定間隔離れて配置され、これらの所定間隔離れた建物ユニット間の隙間が閉塞用パネルで塞がれていることを特徴とするユニット式建物。
【請求項２】
請求項１に記載のユニット式建物において、前記閉塞用パネルは壁パネルであり、この壁パネルは少なくとも建物外周に設けられていることを特徴とするユニット式建物。
【請求項３】
請求項１または請求項２に記載のユニット式建物において、前記所定間隔離れて配置された建物ユニットの外周部分には外周用補強梁が架設されていることを特徴とするユニット式建物。
【請求項４】
請求項２または請求項３に記載のユニット式建物において、前記建物ユニットは下階用建物ユニットとされ、これらの下階用建物ユニットの上方には、それぞれ柱及び梁を含み形成される略直方体状の骨組みを有する上階建物ユニットが配置され、これらの上階建物ユニット同士の隙間は前記壁パネルで塞がれていることを特徴とするユニット式建物。
【請求項５】
請求項４に記載のユニット式建物において、前記外周用補強梁は、前記上階建物ユニットの梁のうち床梁と前記下階用建物ユニットの梁のうち天井梁との間に配置されていることを特徴とするユニット式建物。
【請求項６】
請求項１ないし請求項５のいずれかに記載のユニット式建物において、前記補強梁に沿って水平な補強プレートが設けられ、この補強プレートは隣合う前記建物ユニットの隣接する柱の頂部間を連結することを特徴とするユニット式建物。
【発明の詳細な説明】
【技術分野】
【０００１】
本発明は、ユニット式建物に関する。
【背景技術】
【０００２】
従来、柱、梁からなる骨組みを備えた略直方体状の建物ユニットを、各建物ユニットそれぞれに定めた１個の柱省略コーナ部を当該柱省略コーナ部にて突き合わせ配置して、４個の建物ユニット間にわたる柱なしの大空間を形成するとともに、隣合う建物ユニットの間に補強梁を設けて建物全体を補強するユニット式建物が知られている（例えば、特許文献１参照）。
一方で、複数の建物ユニットを所定間隔離して配置し、これらの建物ユニット間の隙間に連結パネルを配置した離し置きタイプのユニット式建物がある。
【０００３】
【特許文献１】特開２００２−５４２３６号公報
【発明の開示】
【発明が解決しようとする課題】
【０００４】
しかし、特許文献１のユニット式建物、及び離し置きタイプのユニット式建物は、それぞれ、より広い居室空間を形成するために考えられたものであるが、特許文献１では、得られる居室空間が、突き合わせた建物ユニット同士の大きさに限られてしまうという問題がある。
また、離し置きタイプのユニット式建物では、対向する建物ユニット間の隙間分は大きくできるが、建物の強度上の問題から隙間寸法が限られ、また、複数の建物ユニットを所定間隔離して配置する場合、建物ユニットの一角部が集まる部分に柱があるので、一方向にしか居室を広げることはできないという問題がある。そのため、従来と同じ大きさ及び同じ数の建物ユニットでより広い居室空間を形成できるユニット式建物が望まれている。
【０００５】
本発明の目的は、従来と同じ大きさ及び数の建物ユニットでより広い居室空間を形成できるユニット式建物を提供することである。
【課題を解決するための手段】
【０００６】
本発明のユニット式建物は、図面を参照して説明すると、図１に示すように、それぞれ柱及び梁を含み形成される略直方体状の骨組みを有するとともに１本の柱が省略された柱省略コーナ部を有する少なくとも４個の建物ユニット３が、前記それぞれの柱省略コーナ部を突き合わせて配置されたユニット式建物１であって、一方向に隣合う前記建物ユニット３間に補強梁が架け渡され、この補強梁が架け渡された方向に沿って前記一方向と交差する方向に配置される２個の前記建物ユニット３，３同士が所定間隔Ｌ離れて配置され、これらの所定間隔Ｌ離れた建物ユニット３，３間の隙間が閉塞用パネル３２で塞がれていることを特徴とする。
【０００７】
この発明によれば、少なくとも４個の建物ユニットが、各建物ユニットの柱省略コーナ部を突き合わせて配置されており、しかも、一方向に隣合う２個の建物ユニットと所定間隔離れて別の２個の建物ユニットが配置されているので、４個の建物ユニットで、柱なしで形成される空間と、所定間隔分だけ広くなった空間とを合計した大空間の居室を得ることができる。その結果、従来と同じ大きさ及び同じ数の建物ユニットでより広い居室空間を形成できる。
また、４個の建物ユニットが、各建物ユニットの柱省略コーナ部を突き合わせて配置されているうえに、２個づつが所定間隔離れて配置されているが、一方向に隣合う建物ユニット間に補強梁が架け渡されているので、柱省略コーナ部を有する建物ユニットを補強でき、その結果、ユニット式建物の強度を確保することができる。
【０００８】
本発明では、図１に示すように、請求項１に記載のユニット式建物１において、閉塞用パネルは壁パネル３２であり、この壁パネル３２は少なくとも建物外周に設けられている構成が好ましい。
この発明では、建物ユニット間に形成されている所定間隔の隙間が壁パネルで塞がれているので、隙間部分も居室部として利用でき、より広い居室空間を形成できる。
【０００９】
本発明では、図５に示すように、請求項１または請求項２に記載のユニット式建物１において、所定間隔離れて配置された建物ユニット３，３の外周部分には外周用補強梁３０が架設されている構成が好ましい。
この発明では、離れて配置された建物ユニット同士間に補強梁が架け渡されるとともに、外周部分に外周用補強梁が架設されているので、各建物ユニット同士が離れていてもユニット式建物の補強を十分に確保することができる。
【００１０】
本発明では、図１に示すように、請求項２または請求項３に記載のユニット式建物１において、前記建物ユニットは下階用建物ユニット３とされ、これらの下階用建物ユニット３の上方には、それぞれ柱及び梁を含み形成される略直方体状の骨組みを有する上階建物ユニット５が配置され、これらの上階建物ユニット５同士の隙間は前記壁パネル３２で塞がれている構成が好ましい。
この発明では、ユニット式建物の上階部分も、離れて配置された建物ユニット間の隙間も壁パネルで塞がれているので、その隙間分だけ内部を居室空間とすることができ、上階にも広い居室空間を形成することができる。
【００１１】
本発明では、図２に示すように、請求項４に記載のユニット式建物１において、外周用補強梁３０は、上階建物ユニット５の梁のうち床梁１２と下階用建物ユニット３の梁のうち天井梁１１との間に配置されている構成が好ましい。
この発明では、外周用補強梁を、下階用建物ユニット同士を連結する連結プレートとしても利用することができるので、別個に連結プレートを設ける必要がなく、その結果、部材の共通化ができ、省部材化を図ることができる。
【００１２】
本発明では、図５に示すように、請求項１ないし請求項５のいずれかに記載のユニット式建物１において、補強梁２０に沿って水平な補強プレート２１，２２が設けられ、この補強プレート２１，２２は隣合う建物ユニット３の柱１０の頂部間を連結する構成が好ましい。
この発明では、隣合う建物ユニットの柱の頂部間が補強プレートで連結されるので、建物ユニット同士の補強をより大きなものにすることができる。
この発明において、柱の頂部とは、柱省略部の仕口を含むものである。
【発明を実施するための最良の形態】
【００１３】
以下、本発明の実施形態を図面に基づいて説明する。
図１〜図９には第１実施形態のユニット式建物１が示されている。
図１，２に示すように、第１実施形態のユニット式建物１は、基礎２の上に設けられた例えば４個の下階建物ユニット３からなる下階部４と、下階部４の下階建物ユニット３の上に載置された４個の上階建物ユニット５からなる上階部６と、この上階部６の上方に設けられる屋根部７とを備えて構成されている。なお、屋根部７は、小屋枠７Ａとこの小屋枠７Ａに支持される屋根パネル７Ａとを含み構成されている。
【００１４】
以上の下階建物ユニット３及び上階建物ユニット５のうち、それぞれ２個づつが、各建物ユニット３，５の短辺同士が対向する方向の一方向に隣合うとともに、この一方向と交差する方向に寸法Ｌの所定間隔で離れて配置されている。
そして、４個の下階建物ユニット３は、後に詳細を述べるように、それぞれ１本の柱  が省略された柱省略部Ａを有し、４個の上階建物ユニット５は、柱や梁が省略されていない通常の骨組みから構成されている。
【００１５】
以上の下階建物ユニット３及び上階建物ユニット５は、図３、図４に示す構成とされている。まず、図４に基づいて、上階建物ユニット５を説明する。
上階建物ユニット５は、四隅に立設される４本の柱１０と、これらの柱１０の上端間同士を結合する４本の天井梁１１と、各柱１０の下端間同士を結合する４本の床梁１２とを含む骨組み１３を有し、略直方体状に形成されている。
そして、天井梁１１は各２本の長辺天井梁１１Ａ及び短辺天井梁１１Ｂで構成され、床梁１２は各２本の長辺床梁１２Ａ及び短辺床梁１２Ｂで構成されている。２本の長辺天井梁１１Ａ間、及び２本の長辺床梁１２Ａ間には、図示しないが、複数本の天井小梁、複数本の根太がそれぞれ架け渡されている。また、柱１０と天井梁１１及び床梁１２とは、仕口１４を介して接続されている。
【００１６】
前記各下階建物ユニット３は、図３に示すように、３本の柱１０と、これらの柱１０の上端間同士を結合する４本の前記天井梁１１と、各柱１０の下端間同士を結合する４本の前記床梁１２とを含む骨組み１３Ａを有し、略直方体状に形成されている。そして、１本の柱が省略された部位が柱省略コーナ部Ａとされている。
なお、各下階建物ユニット３において、柱省略コーナ部Ａには、輸送時や組み立て時等に下階建物ユニット３が変形しないように、仮柱１０Ａを設けてもよい。また、下階建物ユニット３において、前記上階建物ユニット５と同一部材には同一符号を付して、その詳細な説明は省略または簡略化している。
【００１７】
これらの４個の下階建物ユニット３は、図２、図５等に示すように、それぞれ柱省略コーナ部Ａ同士を突き合わせるとともに、２個づつが所定間隔あけて配置されている。そのため、下階部４には、４個の下階建物ユニット３により、柱なしの部分と所定間隔の隙間の部分とを合計した広さの大空間居室Ｒが形成されるようになっている。
なお、一方向に隣合う下階建物ユニット３，３は、構造は同じであるが勝手違いになっており、これらと所定間隔離れた下階建物ユニット３，３は、上記一方向に隣合う下階建物ユニット３，３が１８０度向きを変えて配置された状態である。
また、所定間隔Ｌの寸法は、製作基準寸法であるモジュールが、例えば、１モジュール９１０ｍｍである場合、本実施形態では、１／２モジュールの４５０ｍｍ程度に設定されている。ただし、この寸法は任意であるが、あまり小さいと間隔をあけた意味がなくなり、あまり大きいと建物の強度上の問題が生じる。
【００１８】
以上のような一方向に隣合う下階建物ユニット３間には、当該下階建物ユニット３に挟まれて補強梁２０が設けられている。この補強梁２０は、柱省略コーナ部Ａに臨む各下階建物ユニット３の特に短辺天井梁１１Ｂを補強するために設けられたものであり、所定間隔Ｌをあけて配置した２個の下階建物ユニット３に渡って設けられている。
【００１９】
補強梁２０は、図８に詳細を示すように、所定厚さの板部材で形成されるとともに、下階建物ユニット３の天井梁１１と上階建物ユニット５の床梁１２との高さ寸法を合計した寸法とほぼ等しい高さ寸法に形成されている。このような補強梁２０は、一端部を下階建物ユニット３の天井梁１１の下端部に揃え、他端部を上階建物ユニット５側に突出させて取り付けられている。
【００２０】
以上の補強梁２０の長さ方向両端部、及び中央部には、それぞれ補強梁２０に沿って水平な補強プレート２１，２２が設けられている。これらの補強プレート２１，２２は、補強梁２０の厚さ方向両側に設けられており、補強梁２０の長さ方向両端部の補強プレート  ２１はほぼ正方形状に、中央部の補強プレート２２は所定間隔Ｌ離れて対向する仕口１４間に渡る大きさの矩形状に形成されている。
【００２１】
そして、長さ方向両端部の補強プレート２１は、一方向に隣合う下階建物ユニット３における外側の各柱１０の頂部を構成する仕口１４同士を連結するようになっている。また、中央部の補強プレート２２は、一方向に隣合い、かつ、所定間隔離れた下階建物ユニット３における各柱省略コーナ部Ａの仕口１４の頂部同士を連結するようになっている。
【００２２】
すなわち、柱１０の頂部及び柱省略コーナ部Ａの仕口１４の上端部には、係合ピン１５，１６が立設されるとともに、ボルト結合用孔１４Ｃがあけられており、これに対して、補強プレート２１，２２には、係合孔２１Ａ，２１Ｂ、及び係合孔２２Ａ，２２Ｂがあけられ、さらに、ボルト結合用孔２１Ｃ、２２Ｃがあけられている。
そのため、まず、それぞれ、柱１０の頂部及び柱省略コーナ部Ａの仕口１４の上端部に立設された係合ピン１５，１６に、補強プレート２１，２２にあけられた係合孔２１Ａ，２１Ｂ、及び係合孔２２Ａ，２２Ｂをそれぞれ差し込み、補強梁２０及び補強プレート２１，２２と、下階建物ユニット３とを位置決めして連結できるようになっている。
【００２３】
上階建物ユニット５を連結、固定するには、まず、上階建物ユニット５における柱１０の下端の仕口１４にあけられた図示しない係合孔を前記係合ピン１５，１６に係合させて位置決めする。その後、上階建物ユニット５及び下階建物ユニット３の仕口１４にあけられたボルト結合用孔１４Ａ、補強プレート２１，２２にあけられたボルト結合用孔２１Ｃにボルト１７を挿通させるとともに、このボルト１７にナット１８を螺合させて、補強梁２０を水平方向に挟み込み、補強プレート２１，２２を上下方向に挟み込んで、上階建物ユニット５と下階建物ユニット３とを連結、固定する。
この結果、上下に各４個の建物ユニット３，５が、補強プレート２１，２２、および補強プレート２１，２２と一体となった補強梁２０によって互いに連結され、ユニット式建物１の全体の強度が確保されるようになっている。
【００２４】
４個の下階建物ユニット３の外周部分には、図５，９等に示すように、前記補強梁２０とほぼ平行に外周用補強梁３０が架設されている。この外周用補強梁３０は板状部材で形成され、補強梁２０とほぼ同じ長さ寸法に形成されている。
【００２５】
外周用補強梁３０には、その両端部及び中央部に、係合孔３０Ａ，３０Ｂ、およびボルト結合用孔３０Ｃがそれぞれあけられており、柱１０の頂部の仕口１４に立設された係合ピン１５，１６に、外周用補強梁３０の係合孔３０Ａ，３０Ｂをそれぞれ差し込み、外周用補強梁３０と、下階建物ユニット３とを位置決めして連結できるようになっている。その後は、上階建物ユニット５及び下階建物ユニット３の仕口１４のボルト結合用孔１４Ａと、外周用補強梁３０のボルト結合用孔３０Ｃにボルト１７を挿通させるとともに、このボルト１７にナット１８を螺合させて、外周用補強梁３０を水平方向に挟み込んで、上階建物ユニット５と下階建物ユニット３とを連結、固定できるようになっている。
【００２６】
前記所定間隔Ｌで離し置きされた下階建物ユニット３間の隙間は、図５，７に示すように、閉塞用パネルである壁パネル３２で塞がれている。この壁パネル３２には、下階建物ユニット３の外壁８（図２参照）と垂直面内で連続するように、図示しない接続用外壁が取り付けされるようになっている。また、所定間隔Ｌで離し置きされた下階建物ユニット３間の上部の隙間は、閉塞用パネルである天井パネル３３（図１参照）で塞がれている。
【００２７】
以上のように、４個の下階建物ユニット３のうち２個づつを一方向に隣合わせるとともに、所定間隔Ｌの隙間をあけて配置し、４個の下階建物ユニット３の各柱省略部Ａを一箇所に集めたので、図２に示すように、柱なし空間と所定間隔Lの隙間とでなる水平方向に連続する大空間の居室Ｒを形成することができる。
【００２８】
このような４個の下階建物ユニット３の上端には、前述のように、それぞれ上階建物ユニット５が載置されている。これらの上階建物ユニット５間の隙間は、図１に示すように、下階建物ユニット３間の隙間と同様に、閉塞用パネルである壁パネル３２で塞がれている。また、離し置きされた上階建物ユニット５の下面の隙間及び上面の隙間は、図示しないが、例えば接続用床パネル、接続用天井パネルで、それぞれ塞がれている。
また、４個の上階建物ユニット５の上端面は、図２に示すように、一方向に隣合う上階建物ユニット５の柱１０同士を連結する上階用としての前記補強梁２０で連結され、各上階建物ユニット５の外側外周は、上階用としての前記外周用補強梁３０で連結されている。
【００２９】
次に、図１及び図７〜図９を参照にしながら、以上のようなユニット式建物１の構築方法を説明する。
まず、基礎２の上に、柱省略コーナ部Ａを有する４個の下階建物ユニット３の各柱省略コーナ部Ａ同士を突き合わせるとともに、４個の下階建物ユニット３のうち２個づつを、一方向に隣合わせ、かつ、所定間隔Ｌをあけて配置し、アンカーボルト等で固定する。
【００３０】
次いで、一方向に隣合って設けられ、かつ、それらが所定間隔離れて配置された２個づつの下階建物ユニット３間に補強梁２０を架け渡すとともに、この補強梁２０に設けられた補強プレート２１を下階建物ユニット３の隣合う柱１０の頂部に係合させるとともに、補強プレート２２を下階建物ユニット３の仕口１４の頂部に係合させる。この際、柱１０の頂部及び柱省略コーナ部Ａの仕口１４の上端部に立設された係合ピン１５，１６に、補強プレート２１，２２にあけられた係合孔２１Ａ，２１Ｂ、及び係合孔２２Ａ，２２Ｂをそれぞれ差し込み、補強梁２０及び補強プレート２１，２２と、下階建物ユニット３とを位置決めして連結する。同様に、下階建物ユニット３の外側両端に外周用補強梁３０を架け渡す。
【００３１】
この後、上階建物ユニット５を補強プレート２１の上に配置するとともに、下階建物ユニット３の仕口１４に立設されたガイドピン１５，１６に、上階建物ユニット５における柱の下部の仕口１４にあけられている図示しない係合穴を挿通させて位置決めを行う。そして、上階建物ユニット５における柱の下部の仕口１４にあけられている図示しないボルト結合用孔、及び補強プレート２１のボルト結合用孔２１Ｃと、補強プレート２２のボルト結合用孔２２Ｃと、下階建物ユニット３の仕口１４のボルト結合用孔１４Ａとに、ボルト１７を挿通させて、そのボルト１７とナット１８とを螺合させ、これらの作業により、外周用補強梁３０を挟み込んで上階建物ユニット５と下階建物ユニット３とを連結する。
その後、上階部６の上階建物ユニット５の上方に、小屋枠７Ａを介して屋根パネル７Ｂ等を設けて屋根部７を構成し、ユニット式建物１を完成させる。
【００３２】
以上のような第１実施形態によれば、次のような効果が得られる。
（１）４個の下階建物ユニット３が、各下階建物ユニット３の柱省略コーナ部Ａを突き合わせて配置されており、しかも、一方向に隣合う２個の下階建物ユニット３と所定間隔Ｌ離れて別の２個の下階建物ユニット３が配置されているので、４個の下階建物ユニット３で、柱なしで形成される空間と、所定間隔分だけ広くなった空間とを合計した大空間の居室Ｒを得ることができる。その結果、従来と同じ大きさ及び同じ数の建物ユニットでより広い居室空間を形成できる。
【００３３】
（２）４個の下階建物ユニット３が、各下階建物ユニット３の柱省略コーナ部Ａを突き合わせ、また、２個づつが所定間隔Ｌ離れて配置されているが、一方向に隣合う下階建物ユニット３間に補強梁２０が架け渡され、この補強梁２０には、隣合う下階建物ユニット３の柱１０の頂部間を連結する水平な補強プレート２１，２２が設けられているので、柱省略コーナ部Ａを有する下階建物ユニット３同士を補強することができる。その結果、ユニット式建物１の強度をより大きなものにすることができる。
【００３４】
（３）４個の下階建物ユニット３の２個づつが、一方向に隣合い、かつ、所定間隔Ｌ離れて配置されているが、それらの下階建物ユニット３の外側に外周用補強梁３０が架設されているので、各下階建物ユニット３同士が離れていても、中央部が前記補強梁２０で補強されるとともに、外側が外周用補強梁３０で補強される。従って、ユニット式建物１の強度を十分に確保することができる。
【００３５】
（４）外周用補強梁３０は、上階建物ユニット５の床梁１２と下階建物ユニット３の天井梁１１との間に配置されているので、外周用補強梁３０を、下階建物ユニット３同士を連結する連結プレートとしても利用することができる。従って、別個に連結プレートを設ける必要がなく、その結果、部材の共通化ができ、省部材化を図ることができる。
【００３６】
（５）４個の下階建物ユニット３の２個づつが、一方向に隣合い、かつ、所定間隔Ｌ離れて配置されているが、この所定間隔Ｌの隙間は壁パネル３２で塞がれている。従って、隙間部分も居室部として利用でき、より広い居室空間を形成できる。
【００３７】
（６）ユニット式建物１の上階部６を構成する上階建物ユニット５も所定間隔Ｌ離れて配置されているが、これらの上階建物ユニット５間の隙間も壁パネル３２で塞がれているので、その隙間分だけ内部を居室空間とすることができ、上階部６にも広い居室空間を形成することができる。
【００３８】
次に、図１０〜図１２に基づいて、本発明のユニット式建物の第２実施形態を説明する。
本実施形態において、前記第１実施形態と同一構成部材には、同一符号を付すとともに、その詳細な説明は省略または簡略化する。
本実施形態のユニット式建物１Ａは、上階部６に大空間の居室Ｒを形成するとともに、この大空間の居室Ｒから小屋裏空間Ｋに続く吹き抜け空間Ｆを形成したものである。
すなわち、それぞれ前記柱省略コーナ部Ａを有する２個の上階建物ユニット５Ａ、及び柱省略コーナ部Ａと梁省略部Ｂを有する２個の上階建物ユニット５Ｂが上階用として用いられ、これらの上階建物ユニット５Ｂと屋根部７との間に前記吹き抜け空間Ｆが形成されている。
【００３９】
図１０に示すように、それぞれ柱省略コーナ部Ａを有する１個の上階建物ユニット５Ａと柱省略コーナ部Ａ及び梁省略部Ｂを有する１個の上階建物ユニット５Ｂとが、一方向に隣合って設けられるとともに、このような上階建物ユニット５Ａと上階建物ユニット５Ｂと直交する方向に、所定間隔Ｌをあけて、他の１個づつの上階建物ユニット５Ａと上階建物ユニット５Ｂとが離し置きされている。
【００４０】
上階建物ユニット５Ａのうち１個は、前記第１実施形態の図３に示す建物ユニット３と同じ構成のものが向きを変えて用いられ、また、他の１個は、勝手違いのものが用いられる。これに対して、上階建物ユニット５Ｂは、図１２に示すような構造となっている。
すなわち、上階建物ユニット５Ｂは、４本の柱１０のうち１本を省略して形成された柱省略部Ａを有し、さらに、２本の長辺天井梁１１Ａのうち１本が省略された梁省略部Ｂを有する構造の骨組み１３Ｂを備えて構成されている。
【００４１】
なお、柱省略部Ａ及び梁省略部Ｂには、輸送用、組み立て用のために、それぞれ仮柱１０Ａ、仮梁１１Ｃを設けてもよい。
また、１個の上階建物ユニット５Ｂと所定間隔Ｌ離れて配置される他の上階建物ユニット５Ｂとは、互いに勝手違いの構成とされ、互いの梁省略部Ｂが対向するようになっている。
【００４２】
以上のような４個の上階建物ユニット５Ａ，５Ｂのうち、一方向に隣合う２個の上階建物ユニット５Ａ，５Ｂ間には、これらの上階建物ユニット５Ａ，５Ｂと対向配置された上階建物ユニット５Ａ，５Ｂに渡って前記補強梁２０が架け渡されている。また、各上階建物ユニット５Ａ，５Ｂの外側端部には、補強梁２０と平行に外周補強用として略Ｔ字状の補強プレート９が架け渡されている。
【００４３】
上階建物ユニット５Ａ，５Ｂの上方には、屋根部７を構成する小屋枠７Ａが載置されている。この小屋枠７Ａは、平面コ字状に形成されており、このような小屋枠７Ａに、図示しない屋根パネル受けブラケットを介して屋根パネル７Ｂが取り付けられ、これらにより、前記屋根部７が構成されている。
【００４４】
また、前記略Ｔ字状の補強プレート９は、図１１に示すように、一部が小屋枠７Ａと上階建物ユニット５Ｂの天井梁１１とに挟まれて架け渡されている。この補強プレート９は、小屋枠７Ａと上階建物ユニット５Ｂの天井梁１１とに挟み込まれる水平部９Ａと、この水平部９Ａと直交し、かつ、水平部９Ａの一端部に固定された垂直部９Ｂとで形成されている。垂直部９Ｂは、上階建物ユニット５Ｂの短辺天井梁１１Ｂと、小屋枠７Ａの梁との開口縁部に押し当てられるようになっている。
さらに、垂直部９Ｂは、壁パネル３２を挟んで対向配置された上階建物ユニット５Ｂ，５Ｂのそれぞれ短辺天井梁１１Ｂの部位に設けられている。
【００４５】
以上の第２実施形態では、２個の上階建物ユニット５Ｂのそれぞれが１本の長辺天井梁  １１Ａを省略した構成となっているので、図１１に示すように、上階建物ユニット５Ｂと小屋裏空間Ｋとの間が吹き抜け空間Ｆとなっている。従って、上階部６に４個の上階建物ユニット５Ａ，５Ｂからなる水平方向の大空間の居室Ｒを形成できるとともに、その大空間の居室Ｒから小屋裏空間Ｋに至る吹き抜け空間Fをも形成することができる。
【００４６】
なお、本実施形態では、４個の下階建物ユニット３Ａは、前記第１実施形態の図４に示す上階建物ユニット５で構成されている。従って、下階部４には４個の建物ユニット３Ａに連続する水平方向の大空間は形成されていない。
【００４７】
このような本第２実施形態によれば、前記第１実施形態の（１）〜（３）、（５）、（６）とほぼ同様の効果の他、次のような効果が得られる。
（７）上階部６を構成する２個の上階建物ユニット５Ｂのそれぞれが１本の長辺天井梁  １１Ａを省略した梁省略部Ｂを有する構成となっているので、上階建物ユニット５Ｂと小屋裏空間Ｋとの間に吹きぬけ空間Ｆを形成することができる。従って、上階部６に４個の上階建物ユニット５Ａ，５Ｂからなる水平方向の大空間の居室Ｒを形成することができるとともに、その大空間の居室Ｒから小屋裏空間Ｋにいたる吹き抜け空間Fをも形成することができ、開放感に溢れた快適空間を得ることができる。
【００４８】
（８）補強プレート９は、小屋枠７Ａと上階建物ユニット５Ｂの天井梁１１とに挟み込まれる水平部９Ａを有し、この水平部９Ａと直交して設けられる垂直部９Ｂは、上階建物ユニット５Ｂの短辺天井梁１１Ｂと、小屋枠７Ａの梁との開口縁部に押し当てられるようになっているので、上階建物ユニット５Ｂが柱と梁とが１本づつ省略された構成であっても、垂直部９Ｂで補強でき、その結果、隣合う上階建物ユニット５Ｂ同士の強度を確保することができる。
【００４９】
なお、本発明は前述の各実施形態に限定されるものではなく、本発明の目的を達成でき
る範囲での変形、改良等は本発明に含まれるものである。
例えば、前記第１実施形態では、補強梁２０が、所定厚さの板状部材で形成されているが、これに限らない。例えば、断面矩形状の角パイプを用いてもよい。このような実施形態では、角パイプの厚さを適宜大きくすることで、板状部材よりその差の分だけでも居室面積を大きくすることができる。
【００５０】
また、前記各実施形態では、補強梁２０に設けられた補強プレート２２が、所定間隔Ｌをあけて対向配置された下階建物ユニット３，３、及び上階建物ユニット５，５の仕口１４間に渡る長さ寸法に形成されているが、これに限らない。例えば、補強プレート２２を、補強梁２０の長さ方向両端の補強プレート２１と同じような形状の、ほぼ正方形状に形成し、各柱省略部Ａが集まる部位の仕口１４同士を連結できる大きさとしてもよい。
【産業上の利用可能性】
【００５１】
本発明は、個人住宅用に利用できる他、アパート等共同住宅にも利用することができる。
【図面の簡単な説明】
【００５２】
【図１】本発明に係るユニット式建物の第１実施形態を示す全体図。
【図２】前記実施形態のユニット式建物を示す全体縦断面図。
【図３】前記実施形態の柱省略部を有する建物ユニットを示す全体斜視図。
【図４】前記実施形態の通常の構成の建物ユニットを示す全体斜視図。
【図５】前記実施形態のユニット式建物の下階部を示す全体斜視図。
【図６】図５におけるＶＩ−ＶＩ線に沿った断面図。
【図７】前記実施形態の下階部および上階部を示す分解斜視図。
【図８】前記実施形態の要部を示す分解斜視図。
【図９】前記実施形態の他の要部を示す分解斜視図。
【図１０】本発明に係るユニット式建物の第２実施形態を示す全体図。
【図１１】前記第２実施形態のユニット式建物を示す全体縦断面図。
【図１２】前記第２実施形態の柱省略部及び梁省略部を有する建物ユニットを示す全体斜視図。
【符号の説明】
【００５３】
１，１Ａ…ユニット式建物
３…下階建物ユニット
４…下階部
５…上階建物ユニット
６…上階部
１０…柱
１１…天井梁
１１Ａ…長辺天井梁
１１Ｂ…短辺天井梁
１２…床梁
１２Ａ…長辺床梁
１２Ｂ…短辺床梁
１３，１３Ａ…骨組み
２０…補強梁
２１，２２…補強プレート
３０…外周用補強梁
３２…閉塞用パネルである壁パネル
Ａ…柱省略部
Ｂ…梁省略部
Ｆ…吹き抜け空間
Ｋ…小屋裏空間
【図１】
2005240358.tif 000003
【図２】
2005240358.tif 000004
【図３】
2005240358.tif 000005
【図４】
2005240358.tif 000006
【図５】
2005240358.tif 000007
【図６】
2005240358.tif 000008
【図７】
2005240358.tif 000009
【図８】
2005240358.tif 000010
【図９】
2005240358.tif 000011
【図１０】
2005240358.tif 000012
【図１１】
2005240358.tif 000013
【図１２】
2005240358.tif 000014